(57)【要約】【課題】原子力発電プラントのような大規模な建設工事において、物量的な観点から、工事量の進捗状況を計画に対して進んでいるのか、遅れているのかを可視化する。【解決手段】ＣＡＤデータベースと接続され、プラント建設のＣＡＤ設計データをもとに工事区画単位の区画別工程の計画作成を支援する工事計画支援システムと、プラント設備の検査予定に関するデータを蓄積する検査予定データベースと、検査実績に関するデータを蓄積する検査実績データベースと、検査の予定と実績を統合した検査進捗データを蓄積する検査予実データベースとを有し、検査の進捗状況を工事進捗の物量に換算した工事進捗データを、工事計画支援システムに伝送する進捗確認システムと、を組み合わせ、区画別工程と前事進捗データを統合させることで、工事進捗を表すチャート稲妻表示の付された工程表が表示されるようにする。【選択図】図１
2010282496.tif 000002
【特許請求の範囲】
【請求項１】
ＣＡＤデータベースと接続され、プラント建設のＣＡＤ設計データをもとに工事区画単位の区画別工程の計画作成を支援する工事計画支援システムと、
プラント設備の検査予定に関するデータを蓄積する検査予定データベースと、検査実績に関するデータを蓄積する検査実績データベースと、検査の予定と実績を統合した検査進捗データを蓄積する検査予実データベースとを有し、検査の進捗状況を工事進捗の物量に換算した工事進捗データを、前記工事計画支援システムに伝送する進捗確認システムと、を備え、
前記区画別工程と前記工事進捗データを統合させることで、工事進捗を表すチャート稲妻表示の付された工程表が表示されるようにしたことを特徴とするプラント建設工事の進捗確認システム。
【請求項２】
検査の進捗状況を工事進捗の物量に換算した工事進捗データは、前記ＣＡＤデータベースに伝送され、工事進捗データと、ＣＡＤ設計データとに基づいて、３Ｄ−ＣＡＤシステム上で工事の進捗状況が３Ｄグラフィック表示されることを特徴とする請求項１に記載のプラント建設工事の進捗確認システム。
【請求項３】
工事の遅れが生じている工事区画を集計し、工事の遅れを示す表示をもって工事区画の一覧表示をすることを特徴とする請求項１に記載のプラント建設工事の進捗確認システム。
【請求項４】
前記チャート稲妻表示と連動させて、工事遅延が生じている工程項目に関して入力した完了目標日を実現するために必要な工程管理情報が表示されることを特徴とする請求項１に記載のプラント建設工事の進捗確認システム。
【発明の詳細な説明】
【技術分野】
【０００１】
本発明は、原子力発電プラントなどのプラント建設工事の進捗確認システムに係り、特に、工事の進捗状況を可視化できるようにしたプラント建設工事の進捗確認システムに関する。
【背景技術】
【０００２】
建設工事の工程を管理するプロジェクト管理に関しては、工程毎の進捗状況をデータベースに記録して管理することが従来から行われている（例えば、特許文献１）。また、プロジェクト管理に用いるソフトウェアも、さまざまなものが提供されている。
【０００３】
一般に、原子力発電プラントなどの大規模なプラント建設工事の工程を管理する場合、現地にて３週間工程表と３ヶ月工程表が作成され、これらの工程表により工事の作業予定を管理している。そして、３週間工程表と３ヶ月工程表に、先週、先月の作業実施日の工程を記載していくことで工事実績の管理を行っている。
【０００４】
そこで、図５に、原子力発電プラント建設工事の工程管理に用いられる３ヶ月工程表の例を示す。  
図５は、４月分の工事実績を記載した３ヶ月工程表を表している。この３ヶ月工程表では、管理対象の工事種目として、○○系配管工事、△△系配管工事、××系工事を挙げている。
【０００５】
○○系配管工事は、４月以前からの継続作業であり、工程バーを塗り潰して４月１ヶ月間の配管工事実績が示されている。５月分、６月分は作業予定として白抜きの工程バーになっている。  
△△系配管工事は、５月から配管工事が開始される予定になっており、６月以降も継続工事が予定されている。  
××系配管工事は、４月中旬から工事開始の予定で、６月中旬に工事完了の予定であったところ、実際の４月分の工事実績は工程バーを塗り潰すことで示されている。
【０００６】
次に、図６は、それから一月経った同じ工事での５月分の工事実績を記載した３ヶ月工程表を示す。  
○○系配管工事では、５月も引き続き作業を行い、その実績が記載され、７月以降も作業が続くとして予定を記載している。  
△△系配管工事では、図５での予定は、５月初旬から開始予定であったところ、実績としては５月中旬からの作業開始となり、作業着手時点から５月末までを実績として工程バーに記載している。
【０００７】
××系配管工事では、５月分の工事実績を工具バーに記載し、６月中旬まで作業があるとして予定を記載している。
【先行技術文献】
【特許文献】
【０００８】
【特許文献１】特開２００３−３３１０１６号公報
【発明の概要】
【発明が解決しようとする課題】
【０００９】
しかしながら、以上のような工程表による工事進捗の管理では、結局のところ、工事進行の時間的な経過を毎月毎月記載しているに過ぎず、工程表から確認できるのは、工事の実施期間がいつまで予定されていて、いまだ工事が進行中であり、終了予定までどれくらい期間があるかということであるにすぎない。
【００１０】
ひるがえって、工事進捗の物量消化の観点からあらためて工程表をみてみると、例えば、図６の○○系配管工事では、工事期間がこれからも続くことはわかっても、現時点の消化すべき物量的な工事量に関しては、予定に対して遅れているのか、進んでいるのかを明確に判断することはできない。
【００１１】
同様に、図６の××系配管工事では、工事の実施期間という時間的な面からは、一見すると工事が終わりに近づいたようにみえる。しかし、実際の消化すべき物量的な面からは、計画した工事量に対して、現時点で消化した工事量が計画よりもより進んでいるのか、あるいは遅れているのかは、あきらかにはならない。
【００１２】
そこで、本発明の目的は、前記従来技術の有する問題点を解消し、原子力発電プラントのような大規模な建設工事において、物量的な観点から、工事量の進捗状況を計画に対して進んでいるのか、遅れているのかを可視化し、一目で確認するができるようにするプラント建設工事の進捗確認システムを提供することにある。
【課題を解決するための手段】
【００１３】
前記の目的を達成するために、本発明は、ＣＡＤデータベースと接続され、プラント建設のＣＡＤ設計データをもとに工事区画単位の区画別工程の計画作成を支援する工事計画支援システムと、プラント設備の検査予定に関するデータを蓄積する検査予定データベースと、検査実績に関するデータを蓄積する検査実績データベースと、検査の予定と実績を統合した検査進捗データを蓄積する検査予実データベースとを有し、検査の進捗状況を工事進捗の物量に換算した工事進捗データを、前記工事計画支援システムに伝送する進捗確認システムと、を備え、前記区画別工程と前記工事進捗データを統合させることで、工事進捗を表すチャート稲妻表示の付された工程表が表示されるようにしたことを特徴とするものである。
【００１４】
また、本発明は、検査の進捗状況を工事進捗の物量に換算した工事進捗データは、前記ＣＡＤデータベースに伝送され、工事進捗データと、ＣＡＤ設計データとに基づいて、３Ｄ−ＣＡＤシステム上で工事の進捗状況が３Ｄグラフィック表示されることを特徴とする。
【００１５】
また、本発明は、検査の進捗状況を工事進捗の物量に換算した工事進捗データが、前記ＣＡＤデータベースに伝送され、工事進捗データと、ＣＡＤ設計データとに基づいて、３Ｄ−ＣＡＤシステム上で工事の進捗状況が３Ｄグラフィック表示されることを特徴とする。
【００１６】
さらに、本発明は、前記チャート稲妻表示と連動させて、工事遅延が生じている工程項目に関して入力した完了目標日を実現するために必要な工程管理情報が表示されることを特徴とする。
【発明の効果】
【００１７】
本発明によれば、原子力発電プラントのような大規模な建設工事において、物量的な観点から、工事量の進捗状況を計画に対して進んでいるのか、遅れているのかを可視化し、一目で進捗状況を確認することが可能になる。
【図面の簡単な説明】
【００１８】
【図１】本発明の一実施形態によるプラント建設工事の進捗確認システムの構成を示すブロック図である。
【図２】同プラント建設工事の進捗確認システムにより作成される稲妻表示付き工程表を示す図である。
【図３】同プラント建設工事の進捗確認システムにより作成される工事区画一覧表の例を示す図である。
【図４】同プラント建設工事の進捗確認システムにより作成される工程フォロー表の例を示す図である。
【図５】従来のプラント建設工事の工程表の例を示す図である。
【図６】図５の工程表作成時から一月後に作成される工程表の例を示す図である。
【発明を実施するための形態】
【００１９】
以下、本発明によるプラント建設工事の進捗確認システムの実施形態について、添付の図面を参照しながら説明する。  
図１は、本実施形態によるプラント建設工事の進捗確認システムの概念図である。  
この図１において、参照番号１０は、発電プラント建設などの現地工事計画支援システムであり、このシステムは発電プラント建設現地工事での工程計画策定を支援するコンピュータシステムである。この現地工事計画支援システム１０の主要な機能は、発電プラントの工事区画単位での区画別工程１４を作成することである。参照番号１２は、現地工事進捗確認システムで、このシステムは、現地工事の進捗状況を確認するためのコンピュータシステムである。
【００２０】
実際の現地での工事工程は、図５、図６に示したような３ヶ月毎、あるいは３週間毎の現地工程表１６という形の工程表を用いて管理される。この現地工程表１６は、工事区画単位の区画別工程１４のデータをもとにして、工程作成支援システム１８を利用して作成される。
【００２１】
発電プラントの工事区画には、例えば、図３に示すように区画を特定するための名称が付けられている。そして、各区画には、例えば、工事の種類として、配管工事であれば、○○系配管工事、△△系配管工事、××系配管工事というように数多くの工事がある。
【００２２】
現地工事計画支援システム１０は、施設の設計図のＣＡＤデータや必要な資材の数量などの物量データを保有する３Ｄ−ＣＡＤデータベース２０と接続されており、これらのＣＡＤデータと作業員一人あたりの物量消化量などのデータをもとに、各工事区画単位に、例えば、配管工事であれば、○○系配管工事、△△系配管工事、××系配管工事のそれぞれの作業期間を計算して自動的に区画別工程１４を生成する。
【００２３】
次に、現地工事進捗確認システム１２について説明する。  
この現地工事進捗確認システム１２では、工事の主な作業は最後に必ず検査を伴う点に着目して、検査状況と関連させて工事進捗状況を把握する。
【００２４】
例えば、配管工事については、主な作業である配管材搬入、配管の合わせ作業、溶接作業と順に進んでいくと、非破壊検査、耐圧試験というように検査を行って安全性等を確認してから工事は完了することになる。このため、各工事区画における検査状況のデータをデータベース化することで、この検査状況のデータを工事進捗状況の確認に活用できることになる。  
図１に示すように、現地工事進捗確認システム１２では、検査予定に関して、検査項目毎の実施予定に関するデータが検査予定データベース２２に蓄積される。また、現地にて検査が完了したものについては、検査項目毎に検査の実績に関するデータとして検査実績データベース２４に蓄積される。そして、検査項目毎に予定と実績が統合され、検査の進捗状況データとして検査予実データベース２６に蓄積される。
【００２５】
この検査予実データベース２６では、検査の進捗状況はパーセンテージに置き換えられるとともに、物量（ｔｏｎ）にも換算される。例えば、特定の配管工事において非破壊検査、耐圧検査と順次検査が完了していれば、検査の進捗は１００％で、物量としてもその工事区画での配管工事に必要とされる工事資材の物量を総て消化したものとして、その物量データが記録される。不合格の検査項目があった場合は、全項目の検査の流れの中でその進捗状況がパーセンテージで評価されるとともに、補修などの工事が必要になるので、それらを考慮した所定の算出方法にしたがって、現時点での工事資材の消化済み物量に換算することになる。
【００２６】
このようにして、検査予実データベース２６では、検査の進捗状況を物量換算してから、そのデータを現地工事計画支援システム１０に伝送することになる。
【００２７】
現地工事計画支援システム１０は、検査進捗状況を工事資材の物量に換算したデータを、上述した区画別工程１４と統合し、区画別工程１４が更新された区画別工程１４’を生成する。
【００２８】
この更新された区画別工程１４’は、バーチャート稲妻表示部３０によって、工事の進捗状況を可視化する稲妻表示を伴った工程表、例えば、図２に示すような工程表として表示される。
【００２９】
このようにして、予定に対してどのくらいの物量が消化されているのかを示すバーチャート稲妻表示が付された工程表により、物量面から現地工事の進捗状況が可視化され、具体的に○○系配管工事の物量消化が遅れているというに、状況を一目で把握することができる。
【００３０】
また、検査進捗状況を工事資材の物量に換算したデータは、検査予実データベー２６から３Ｄ−ＣＡＤデータベース２０に伝送される。この３Ｄ−ＣＡＤデータベース２０では、この検査進捗状況の物量換算データと該当する区画のＣＡＤデータとが統合される。３Ｄ−ＣＡＤ進捗表示部３２は、そのＣＡＤデータをもとに、工事の進行を表す３Ｄグラフィック表示、例えば検査済みの配管等と、検査未了の配管等を区別できるような色分け表示により３Ｄグラフィック表示を行う。
【００３１】
このような３Ｄグラフィック表示により、現地工事の進捗状況をよりリアルな臨場感をもって可視化することができる。
【００３２】
さらに、バーチャート稲妻表示部３０は、稲妻表示を伴った工程表を表示するとともに、図３に示すような、工事区画一覧表を表示するようにしてもよい。この工事区画一覧表では、更新された区画別工程１４’から工事遅延が生じている区画を集計し、進捗遅れが生じている区画がどれか一目でわかるように、遅延を指し示す表示を付している。この一覧表によって、全体の中で、どのエリアに工事の遅れが集中しているかを一目で把握することが可能になり、物量の面だけでなく工事区画の観点から、工事の進捗状況を管理するのに役立つ。
【００３３】
次に、本発明の他の実施形態について、図４を参照して説明する。  
この図４に示すように、バーチャート稲妻表示付きの工程表が表示されたときには、工事遅延が生じている工程において完了目標日を指示することで、その完了目標を達成する上で必要な情報が自動的に算出され、その情報を表示する工程フォロー表が表示される。例えば、○○系配管で工事が予定よりも遅延していた場合、この工程フォロー表が表示されることにより、今後、工事完了まで日数、消化すべき物量はどのくらいか、投入すべき作業員は何人か、などといった情報が直ちに表示される。これにより、工程管理に必要な情報を瞬時に得ることができる。
【００３４】
なお、以上のようなプラント建設工事の進捗確認システムでは、システムの設置された本社と現地とを回線で接続することで、現地においても、本社側においてもタイムリーな進捗確認および工程進行をキープするための資材・人員投入計画を立てられることから、精度の高い工事管理が可能となる。
【００３５】
以上、本発明について、好適な実施形態を挙げて説明したが、本発明は、原子力発電所、火力発電所等の発電プラントだけでなく、さまざまなプラント建設工事の工程管理に適用することが可能である。
【符号の説明】
【００３６】
１０…現地工事計画支援システム、１２…現地工事進捗確認システム、１４…区画別工程、１６…現地工程表、２０…３Ｄ−ＣＡＤデータベース、２２…検査予定データベース、２４…検査実績データベース、２６…検査予実データベース
【図１】
2010282496.tif 000003
【図２】
2010282496.tif 000004
【図３】
2010282496.tif 000005
【図４】
2010282496.tif 000006
【図５】
2010282496.tif 000007
【図６】
2010282496.tif 000008